(57)【要約】  本発明に係る分光特性測定装置は、被測定物の内部の複数の測定点から発せられた測定光を固定反射部の反射面と可動反射部の反射面に入射させる入射光学系と、固定反射部の反射面で反射された固定反射測定光と可動反射部の反射面で反射された可動反射測定光を同一点に導いて両反射測定光の干渉光を形成する結像光学系と、干渉光の強度を検出するための複数の画素を有する光検出部と、結像光学系と光検出部の間の光路に配置された透過率が異なる複数の領域を有するフィルタであって、光検出部の各画素に入射する干渉光を形成する固定反射測定光と可動反射測定光が同じ領域を透過するように構成された透過フィルタと、可動反射部を移動させたときの光検出部の各画素の検出信号から測定光のインターフェログラムを求め、このインターフェログラムに基づき測定光のスペクトルを求める演算処理部とを備える。
2014054488.tif 000002
【特許請求の範囲】
【請求項１】
a)固定反射部と、
b)該固定反射部の反射面と平行な反射面を有し、前記固定反射部の反射面に対して垂直方向に移動可能な可動反射部と、
c)被測定物の内部の複数の測定点から発せられた測定光を前記固定反射部の反射面と前記可動反射部の反射面に入射させる入射光学系と、
d)前記固定反射部の反射面で反射された固定反射測定光と前記可動反射部の反射面で反射された可動反射測定光を同一点に導いて両反射測定光の干渉光を形成する結像光学系と、
e)前記干渉光の強度を検出するための複数の画素を有する光検出部と、
f) 前記結像光学系と前記光検出部の間の光路に配置された透過率が異なる複数の領域を有するフィルタであって、前記光検出部の各画素に入射する干渉光を形成する固定反射測定光と可動反射測定光が同じ領域を透過するように構成された透過フィルタと、
g)前記可動反射部を移動させたときの前記光検出部の各画素の検出信号から前記測定光のインターフェログラムを求め、このインターフェログラムに基づき測定光のスペクトルを求める演算処理部と
を備えることを特徴とする分光特定測定装置。
【請求項２】
さらに、
前記光検出部の各画素に入射する干渉光を形成する固定反射測定光と可動反射測定光が透過した前記減光フィルタの領域の透過率に基づき、該画素の検出信号から求められるインターフェログラムの強度を補償する補償手段を備えることを特徴とする請求項１に記載の分光特性測定装置。
【発明の詳細な説明】
【技術分野】
【０００１】
本発明は、分光特性測定装置に関し、特には、血糖や血中コレステロール等の生体成分を非侵襲で測定することができる分光特性測定装置に関する。
【背景技術】
【０００２】
糖尿病や高脂血症等、さまざまな病気において、血液に含まれるグルコース（血糖）やコレステロール等の生体成分の管理はその予防及び治療のために重要である。しかしながら、血液中の生体成分を測定するためには、通常、微量ながら血液を採取しなければならず、苦痛を伴う。また、採血部位の消毒や消耗品の処理などの煩わしい作業が必要であるため、例えば予防目的で生体成分を測定するための採血を日常的に行うことは敬遠される。【０００３】
これに対して、血液を採取せずに生体成分を測定する非侵襲の測定装置が提案されている（特許文献１参照）。この測定装置では、生体の被検部位に光を照射し、それにより該被検部位の内部の生体成分から発せられる光（物体光）の分光特性から生体成分を求める。具体的には、生体成分を光学的に構成する各輝点から生じる透過光や拡散・散乱光等の物体光を、対物レンズを介して位相シフタである固定ミラー部と可動ミラー部に導き、これら２つのミラー部から反射される物体光束を結像面において干渉させる。可動ミラー部はピエゾ素子などにより移動されるようになっており、該可動ミラー部の移動量に応じた位相差が固定ミラー部と可動ミラー部から反射される物体光束に付与され、それに伴い干渉光の強度が変化して、いわゆるインターフェログラムを形成する。このインターフェログラムをフーリエ変換することにより物体光の分光特性（スペクトル）を取得する。
【先行技術文献】
【特許文献】
【０００４】
【特許文献１】特開2008-309707号公報
【発明の概要】
【発明が解決しようとする課題】
【０００５】
結像面に形成された干渉光は光検出部で受光され、アナログ信号として出力される。この信号は、増幅器によって増幅された後、Ａ／Ｄ変換器にてデジタルデータに変換され、該デジタルデータに対して所定のデータ処理を実行した後、フーリエ変換を実行することでスペクトルが得られる。生体成分の変化を調べる場合には、該生体成分からの透過光等を高精度に検出してノイズの少ないスペクトルを得る必要がある。そのためには、光検出器からのアナログ信号をできるだけ大きく増幅することが好ましいが、Ａ／Ｄ変換器の入力レンジを超えるとオーバーフローが起きて飽和してしまうため、生体成分から発せられる光の最大光量を想定し、該最大光量に基づき増幅率が設定される。【０００６】
ところが、血液に含まれるグルコースやコレステロールの濃度を継続的に測定してその変化を調べるような場合に、一定の増幅率で測定を続けた場合には、必ずしも適切な増幅率で測定していることにはならない場合がある。特に、被検部位から発せられる光の光量が小さい場合は、グルコースやコレステロールの濃度の微量な変化を正確に測定することができない。【０００７】
本発明が解決しようとする課題は、広い測定レンジで被測定物から発せられる光を測定できる分光特性測定装置を提供することを目的とする。
【課題を解決するための手段】
【０００８】
上記課題を解決するために成された本発明に係る分光特性測定装置は、
a)固定反射部と、
b)該固定反射部の反射面と平行な反射面を有し、前記固定反射部の反射面に対して垂直方向に移動可能な可動反射部と、
c)被測定物の内部の複数の測定点から発せられた測定光を前記固定反射部の反射面と前記可動反射部の反射面に入射させる入射光学系と、
d)前記固定反射部の反射面で反射された固定反射測定光と前記可動反射部の反射面で反射された可動反射測定光を同一点に導いて両反射測定光の干渉光を形成する結像光学系と、
e)前記干渉光の強度を検出するための複数の画素を有する光検出部と、
f) 前記結像光学系と前記光検出部の間の光路に配置された透過率が異なる複数の領域を有するフィルタであって、前記光検出部の各画素に入射する干渉光を形成する固定反射測定光と可動反射測定光が同じ領域を透過するように構成された透過フィルタと、
g)前記可動反射部を移動させたときの前記光検出部の各画素の検出信号から前記測定光のインターフェログラムを求め、このインターフェログラムに基づき測定光のスペクトルを求める演算処理部と
を備えることを特徴とする。【０００９】
上記構成においては、干渉光を形成する固定反射測定光と可動反射測定光に、フィルタ内の光透過率が同一である領域を通過させて干渉光を検出する。そして、干渉光の検出信号からインターフェログラムを求め、測定光のスペクトルを求める。従って、一度の測定によって、光透過率が異なる複数の領域のそれぞれに対応した強度の干渉光を検出し、インターフェログラムを取得して、それらの中の最適なインターフェログラムから測定光のスペクトルを求めることができる。
【発明の効果】
【００１０】
本発明によれば、Ａ／Ｄ変換器の入力レンジを超過するオーバーフローを防止しつつ、分光特性測定装置のダイナミックレンジを実現することができる。
【図面の簡単な説明】
【００１１】
【図１】本発明の第１実施例に係る血糖値センサの全体構成を示す概略図。
【図２】干渉光強度変化とインターフェログラム、分光特性の関係を説明する図。
【図３】減光フィルタを示す図。
【図４】第１実施例に係る血糖値センサの解析結果と従来の血糖値センサの解析結果の比較図。
【図５】本発明の第３実施例に係る血糖値センサの全体構成を示す概略図。
【図６】本発明の第４実施例に係る血糖値センサの全体構成を示す概略図。
【図７】検出部の受光面を示す図。
【図８】回折格子から対物レンズに入射する１次回折光の波長、回折角の説明図。
【図９】回折格子からの１次回折光を示す正面図（ａ）及び側面図（ｂ）並びに１次回折光を立体的に示す図（ｃ）。
【図１０】測定光のインターフェログラム（ａ）と１次回折光の干渉光強度変化（ｂ）の関係を示す図。
【図１１】インターフェログラムの補正方法の説明図であり、取得データ（ａ）、余弦曲線で近似した図（ｂ）、余弦曲線をシフトした図（ｃ）。
【図１２】減光フィルタの他の例を示す図。
【発明を実施するための形態】
【００１２】
以下、本発明を血糖値センサに適用した具体的な実施例について図面を参照して説明する。
【実施例１】
【００１３】
図１は実施例１に係る血糖値センサ１０の全体構成を示している。血糖値センサ１０は、分光測定部１６と該分光測定部１６の動作を制御する制御部４０とを備えている。【００１４】
分光測定部１６は、光源１６１、対物レンズ１６２、位相シフタ１６３、結像レンズ１６４、検出部１６５、減光装置１６６から構成されている。本実施例では、対物レンズ１６２及び結像レンズ１６４がそれぞれ入射光学系及び結像光学系に相当する。対物レンズ１６２は指先Ｆの光照射面と対向配置されている。一方、結像レンズ１６４は、対物レンズ１６２と光軸が直交する向きに配置されている。【００１５】
光源１６１には、皮膚の透過性が良い、波長が１μｍ付近の近赤外光を出射する光源が用いられている。光源１６１からの出射光は被測定物である指先Ｆに照射されると該指先Ｆの皮膚を透過し、その内部において様々な光学現象に起因した反射光、散乱光を生成する。これらの光は再び皮膚を透過して指先Ｆの外部に出射して対物レンズ１６２に入射し、平行光束に変換される。
検出部１６５は例えば１６×１６画素の二次元ＣＣＤカメラ１６５ａと該ＣＣＤカメラ１６５ａの受光信号を増幅する増幅器（図示せず）、増幅された受光信号をＡ／Ｄ変換するＡ／Ｄ変換器１６５ｂを含んで構成されており、結像レンズ１６４の結像面にＣＣＤカメラ１６５ａの受光面１６５ｃが位置するように配置されている。【００１６】
検出部１６５の検出信号は記憶部４１に保存されるようになっている。詳しくは後述するように、処理部４２は記憶部４１に保存された検出信号を読み出し、インターフェログラムを求める。このインターフェログラムは演算処理部４３によって数学的にフーリエ変換され、その結果、測定光の波長毎の相対強度である分光特性（スペクトル）が得られる。【００１７】
位相シフタ１６３は、対物レンズ１６２と結像レンズ１６４の間に配置されている。位相シフタ１６３は固定ミラー部３１及び可動ミラー部３２、及び可動ミラー部３２を移動させる駆動機構３３から構成されている。固定ミラー部３１及び可動ミラー部３２は、いずれも対物レンズ１６２の光軸及び結像レンズ１６４の光軸に対して４５°の角度で傾斜する矩形状の反射面を有している。両ミラー部の反射面は、非常に僅かな隙間をおいて並べて配置されている。【００１８】
駆動機構３３は、例えば静電容量センサを具備する圧電素子から構成されており、制御部４０からの信号を受けて、光軸に対する反射面の傾斜角度を４５°に維持した状態で可動ミラー部３２を矢印Ａ方向に移動させる。このような構成により、固定ミラー部３１に対する可動ミラー部３２の相対位置が変化し、固定ミラー部３１で反射された光束、及び可動ミラー部３２で反射された光束の間に位相差が付与される。【００１９】
具体的には、可動ミラー部３２の対物レンズ１６２或いは結像レンズ１６４の光軸方向の移動量は、可動ミラー部３２の矢印Ａ方向の移動量の１／√２となる。また、固定光束と可動光束の間に相対的な位相変化を与える光路長差は、可動ミラー部３２の光軸方向の移動量の２倍となる。【００２０】
減光装置１６６は、結像レンズ１６４と検出部１６５の間に配設されている。減光装置１６６は、透過率が段階的に変化する複数の領域が横方向に並べて配置された矩形板状の減光フィルタ１６６ａ（図３参照）と、これをラック、ピニオンを介して直線方向に移動させるステッピングモータを含んで構成される。減光フィルタ１６６ａの透過率とステッピングモータのステップ数との関係を表す制御テーブルは予め記憶部４１に保存されている。従って、減光フィルタ１６６ａを目的の透過率に設定するときには、制御部４０はステッピングモータを制御テーブルから求まるステップ数になるように駆動する。【００２１】
次に、上記構成の血糖値センサ１０を用いて被検者の手の指先の血液中の血糖（グルコース）を測定する場合の動作について説明する。
まず、被検者の手の指先Ｆを所定の位置に置き、光源１６１からの近赤外光を指先Ｆに照射する。すると、近赤外光は、指先Ｆの皮膚を透過して指先Ｆ内部の様々な生体成分によって散乱される。生体成分によって散乱された光は、再び指先Ｆの皮膚を経て外部に出射される。【００２２】
なお、測定開始直後の初期状態においては、位相シフタ１６３の固定ミラー部３１及び可動ミラー部３２の表面（反射面）は同一平面上に位置している。また、減光フィルタ１６６ａは、複数の領域のうち例えば中間値の透過率（４０％）の領域が結像レンズ１６４と検出部１６５の光路上に位置している。その後、測定動作が開始されると、後述するように制御部４０は、駆動機構３３を駆動して可動ミラー部３２を移動させると共に、減光装置１６６を駆動して設定された適正透過率の領域が結像レンズ１６４と検出部１６５の光路上に位置するように減光フィルタ１６６ａを移動させる。【００２３】
指先Ｆの内部から出射された測定光としての散乱光は様々な方向に拡がりながら対物レンズ１６２に到達し、平行光束となって位相シフタ１６３の固定ミラー部３１及び可動ミラー部３２の表面全体に至る。つまり、散乱光の一部は固定ミラー部３１の反射面で反射され、残りの散乱光は可動ミラー部３２の反射面で反射され、それぞれ結像レンズ１６４に入射する。なお、以下の説明では、固定ミラー部３１で反射された散乱光を固定散乱光束、可動ミラー部３２で反射された散乱光を可動散乱光束とも呼ぶ。【００２４】
結像レンズ１６４に入射した固定散乱光束及び可動散乱光束は減光フィルタ１６６ａを通して検出部１６５の受光面１６５ｃに入射し、干渉する。このとき、指先Ｆの内部から発せられる散乱光には、様々な波長の光が含まれることから、可動ミラー部３２を移動させて可動散乱光束と固定散乱光束の光路長差を変化させることにより、インターフェログラムと呼ばれる結像強度変化（干渉光強度変化）の波形が得られる、このインターフェログラムを数学的にフーリエ変換することにより分光特性を取得できる。図２に各波長の光の干渉強度変化、インターフェログラム、分光特性を示す。【００２５】
また、本実施例の血糖値センサ１０では、指先Ｆ内部のうち対物レンズ１６２の特定深度に位置する合焦面から発せられた散乱光のみが検出部１６５の受光面１６５ｃにおいて結像し、合焦面以外から生じた光は検出部１６５の受光面１６５ｃで結像しない。従って、合焦面のみに深度を限定した指先内部の分光特性を得ることができる。【００２６】
検出部１６５の受光面１６５ｃに入射し、干渉した光は、アナログ信号として出力される。この信号はＡ／Ｄ変換器１６５ｂにおいてデジタルデータに変換され、制御部４０の演算処理部４３に入力される。演算処理部４３では、該デジタルデータに対して所定のデータ処理を実行した後、フーリエ変換を実行することにより分光特性（スペクトル）を得る。
ところで、検出部１６５の受光面１６５ｃで干渉する光の強度は血糖値の大きさに応じて変化（増減）する。強度が小さい干渉光のアナログ信号は信号強度が小さいため、そのまま演算処理部４３に入力されると該信号強度を感度良く測定することができない。そのため、干渉光のアナログ信号は増幅器（図示せず）によって増幅された後、Ａ／Ｄ変換器１６５ｂに入力される。ところが、干渉光強度が大きい場合には、増幅後のアナログ信号がＡ／Ｄ変換器１６５ｂの入力レンジを超えてオーバーフローが起き、飽和してしまうことがある。【００２７】
そこで、制御部４０は、ステッピングモータを駆動して減光フィルタ１６６ａを移動させ、減光フィルタ１６６ａを適正透過率に設定する。演算処理部４３は、減光フィルタ１６６ａの透過率から、該透過率が１００％のときのインターフェログラムを求める。従って、本実施例では、演算処理部４３が補償手段として機能する。そして、補正後のインターフェログラムをフーリエ変換して分光特性を求める。【００２８】
具体的には、演算処理部４３は、初期状態において検出部１６５で検出された測定光の干渉光強度から、該干渉光強度が検出部１６５（Ａ／Ｄ変換器）の入力レンジに収まる最大値となるように減光装置１６６の適正透過率を設定する。従って、本実施例では演算処理部４２が設定手段として機能する。設定された適正透過率は記憶部４１に記憶される。制御部４０は、記憶部４１に記憶された適正透過率を読み取り、ステッピングモータを介して減光フィルタ１６６ａを移動する。従って、その後の測定動作では、検出部１６５には減光フィルタ１６６ａの適正透過率の領域を通過した測定光の干渉光が入射する。従って、検出部１６５の入力レンジを有効に利用でき、しかも、入力レンジを超過するオーバーフローを防止することができる。【００２９】
図４に、本実施例の血糖値センサ１０を用いて試験管内のグルコース濃度を測定し、解析した結果を示す。従来型（減光フィルタの減光率が一定、或いは減光フィルタなし）では、干渉光強度が大きいアナログ信号に合わせて増幅率を小さくすると、低濃度領域が検出限界を下回ってしまい（図４の（ａ））、干渉光強度が小さいアナログ信号に合わせて増幅率を大きくすると、高濃度領域で飽和してしまう（図４の（ｂ））。一方、減光フィルタ１６６ａの透過率を可変にした本実施例では、全濃度領域で適正に測定することができる（図４の（ｃ））。
【実施例２】
【００３０】
実施例２の血糖値センサの要部構成は、図１に示した実施例１と同様であるため、図示及び詳細な説明を省略する。本実施例では、透過率が異なる複数の領域を備えた減光フィルタ１６６ａの全面に反射測定光を透過させてインターフェログラムを求める。従って、実施例１と異なり、本実施例では減光フィルタ１６６ａは移動させない。また、実施例１と同様に、１６×１６画素の二次元ＣＣＤカメラ１６５ａを用いるが、減光フィルタ１６６ａの領域数と同数以上の画素を有する他のカメラ等を用いてもよい。【００３１】
本実施例では、１つの干渉光（干渉像）を形成する固定散乱光束と可動散乱光束は、減光フィルタ１６６ａの同一の領域を通過する。本実施例では図３に示すように、透過率が異なる５つの領域を備えた減光フィルタ１６６ａを用いるため、検出手段１６５によって強度が異なる５つの干渉光を同時に検出し、それぞれについてインターフェログラムを求めることができる。そして、求めたインターフェログラムから適切な透過率を求め、該透過率の領域を透過した測定光のインターフェログラムを用いてスペクトルを求める。
このように、本実施例の構成では、一度の測定で強度が異なる複数の干渉光を検出するため、実施例１の構成よりも効率的に測定を行うことができる。
【実施例３】
【００３２】
図５は実施例３に係る血糖値センサ１１０の全体構成を示している。この血糖値センサ１１０は、矩形箱状のケーシング１１２内に分光測定部１６を収容してなる。ケーシング１１２の外周側面の一つ、例えば上面には矩形板状の窓部１１４が固定されている。【００３３】
ケーシング１１２は、例えばプラスチックや金属などの、光を透過しない材料から作製されている。窓部１１４は、光透過性を有する材料、例えばガラスやプラスチックから作製されており、その上面に指先Ｆが載置されるようになっている。そして、光源１６１は、その出射光が窓部１１４の光照射面に照射されたときに正反射光Ｌ０が対物レンズ１６２に入射しないような向きに配置されている。【００３４】
本実施例では、窓部１１４の上面に指先Ｆを強く押し当て、指先Ｆと窓部１１４を密着させて測定を行う。このため、光源１６１の光は、窓部１１４を通して指先Ｆの内部に入射し、内部の様々な生体成分によって散乱された後、再び指先Ｆから出射され、窓部１１４を通ってケーシング１１２内に至り、測定光として対物レンズ１６２に入射する。このとき、指先Ｆが窓部１１４に密着しているため、指先Ｆの表面の凹凸構造が平坦化し、光源１６１からの光が前記凹凸構造によって散乱、反射して測定光に混入することを抑制できる。また、指先Ｆを窓部１１４に強く押し当てることにより、測定中、対物レンズ１６２の合焦位置を指先Ｆ内の所定の位置（深度）に維持することができる。以上より、本実施例に係る血糖値センサ１１０では、血糖値を精度良く測定することができる。
【実施例４】
【００３５】
図６〜図１１は本発明の実施例４に係る血糖値センサ２１０を示している。以下では、実施例３に係る血糖値センサ１１０との違いを中心に説明する。まず、この血糖値センサ２１０は、ケーシング１１２の上面に固定された窓部２１４の構成が実施例３の窓部１１４と異なっている。【００３６】
具体的には、図６の（ｂ）に示すように、ケーシング１１２内に位置する窓部２１４の下面（光照射面）の一部には回折格子が形成されている。この実施例では、窓部２１４の対向する２辺に沿って延びる２個の回折格子２２０、２２１が形成されている。以下の説明では、窓部２１４の光照射面のうち２個の回折格子２２０、２２１が形成された領域を参照光領域、それ以外の領域を測定光領域とも呼ぶ。各回折格子２２０、２２１は、いずれも窓部２１４の２辺と平行な複数本の突条部から成る。本実施例では、これら突条部の間隔は 1.1 μmに設定されている。【００３７】
光源１６１は、その出射光が窓部２１４の光照射面に照射されたときに正反射光が対物レンズ１６２に入射せず、且つ、前記回折格子２２０、２２１に照射されたときに生成される１次回折光が対物レンズ１６２に入射するような向きに配置されている。回折格子２２０、２２１からの１次回折光は参照光として利用される。参照光については後述する。【００３８】
検出部１６５は例えば１６×１６画素の二次元ＣＣＤカメラ１６５ａと該ＣＣＤカメラ１６５ａの受光信号を増幅する増幅器（図示せず）、増幅された受光信号をＡ／Ｄ変換するＡ／Ｄ変換器１６５ｂを含んで構成されており、結像レンズ１６４の結像面にＣＣＤカメラ１６５ａの受光面１６５ｃが位置するように配置されている。【００３９】
図７は検出部１６５の受光面１６５ｃを概略的に示す図である。なお、ここでは便宜上画素数を１０×１０として説明する。この図７に示すように、検出部１６５の受光面１６５ｃには多数のＣＣＤが配置されており、そのうち上端の２０個（２×１０）及び下端の２０個のＣＣＤにそれぞれ回折格子２２０及び回折格子２２１で生じた１次回折光（参照光）が結像する。従って、これらのＣＣＤが参照光検出部となる。一方、受光面１６５ｃのうち参照光検出部を除くＣＣＤに測定光が結像する。従って、これらのＣＣＤが測定光検出部となる。なお、実際は窓部２１４の載置面に載置された指先Ｆの画像Ｆａが示す部分に位置するＣＣＤに測定光が結像することになる。【００４０】
上記構成の血糖値センサ２１０を用いて被検者の手の指先の血液中の血糖（グルコース）を測定する場合の動作について説明する。なお、本実施例においても、測定開始直後の初期状態においては、位相シフタ１６３の固定ミラー部３１及び可動ミラー部３２の表面（反射面）は同一平面上に位置し、減光フィルタ１６６ａは、複数の領域のうち例えば中間値の透過率（40％）の領域が結像レンズ１６４と検出部１６５の光路上に位置しているものとする。【００４１】
まず、被検者の手の指先Ｆを窓部２１４の載置面に強く押し当てる。この状態で、光源１６１からの近赤外光を窓部２１４に照射する。すると、窓部２１４の測定光領域に照射された近赤外光は、窓部２１４を通して指先に至り、指先の皮膚を透過して指先内部の様々な生体成分によって散乱される。生体成分によって散乱された光は、再び指先の皮膚を経て窓部２１４からケーシング１１２内に至り、対物レンズ１６２に入射する。【００４２】
指先内部から発せられた測定光としての散乱光は様々な方向に拡がりながら対物レンズ１６２に到達し、平行光束となって位相シフタ１６３の固定ミラー部３１及び可動ミラー部３２の表面全体に至る。そして、散乱光の一部は固定ミラー部３１の反射面で反射され、残りの散乱光は可動ミラー部３２の反射面で反射され、それぞれ結像レンズ１６４に入射する。【００４３】
結像レンズ１６４に入射した固定ミラー部３１及び可動ミラー部３２の反射面で反射された光（固定散乱光束及び可動散乱光束）は減光フィルタ１６６ａを通して検出部１６５の受光面１６５ｃに入射し、干渉する。このとき、被検部位の内部から発せられる散乱光には、様々な波長の光が含まれることから、可動ミラー部３２を移動させて可動散乱光束と固定散乱光束の光路長差を変化させることにより、インターフェログラムと呼ばれる結像強度変化（干渉光強度変化）の波形が得られる、このインターフェログラムを数学的にフーリエ変換することにより分光特性を取得できる。【００４４】
一方、窓部２１４の参照光領域に照射された近赤外光は回折格子２２０、２２１で反射され、特定波長λの１次回折光が対物レンズ１６２に入射する。本実施例では、図８に示すように、格子周期（突条部の間隔）d＝1.1μmの回折格子に対して、光源１６１からの近赤外光が入射角45deg.で入射するように構成されている。また、開口数N.A.＝0.24（開口角＝14deg.）、焦点距離＝20mm、レンズ口径ｇ＝φ10mmの対物レンズ１６２が用いられている。このとき、対物レンズ１６２に入射する短波長側の最小回折角θminは31deg.、その波長λminは0.566μmとなり、長波長側の最大回折角θmaxは59deg.、その波長λmaxは0.943μmとなる。また、本実施例では、検出部１６５として、検出波長域が0.9μm〜1.7μmのInGaAsカメラを用いた。従って、対物レンズ１６２に入射した１次回折光のうち検出部１６５で検出される波長域は非常に狭い波長域（0.9μm〜0.943μm）となる。【００４５】
また、図９に示すように、回折格子２２０、２２１からの１次回折光は、回折格子２２０、２２１の幅方向に広がって対物レンズ１６２に到達し（図９（ａ）の正面図参照）、回折格子２０、２１の延びる方向では平行光束として対物レンズ１６２に到達する（図９（ｂ）の側面図参照）。つまり、図９の（ｃ）に示すような四角錐台形状の１次回折光が対物レンズ１６２に到達する。この結果、対物レンズ１６２に入射した１次回折光は、固定ミラー部３１と可動ミラー部３２の境界付近に、光源１６１の大きさと同等の幅を有する帯状の光として至り、一部は固定ミラー部３１の反射面で反射され、残りは可動ミラー部３２の反射面で反射され、それぞれ結像レンズ１６４に入射する。なお、以下の説明では、固定ミラー部３１で反射された１次回折光を固定回折光、可動ミラー部３２で反射された１次回折光を可動回折光とも呼ぶ。【００４６】
結像レンズ１６４に入射した固定回折光及び可動回折光は減光フィルタ１６６ａを通して検出部１６５の受光面１６５ｃに入射し、干渉像を形成する。このとき、可動ミラー部３２を移動させて固定回折光と可動回折光の光路長差を変化させることにより干渉光強度変化が得られる。上述したように、固定回折光及び可動回折光は波長域が非常に狭く、ほぼ単一波長の光といえるため、ここで得られる干渉光強度変化の形状は単純な余弦波となる。【００４７】
窓部２１４を通して指先Ｆに照射される光と、回折格子２２０、２２１で１次回折光を発生させる光は同一の光源から出射される光であるため、光源１６１から発せられる光強度に揺らぎが生じた場合は、測定光（散乱光）の干渉光強度変化及び１次回折光の干渉光強度変化の両方がその影響を受ける。また、窓部２１４から検出部１６５に至るまでの測定光と１次回折光の光路が共通であるため、この共通光路上に外乱が発生した場合、測定光の干渉光強度変化及び１次回折光の干渉光強度変化の両方が外乱の影響を受ける。【００４８】
そこで、本実施例の演算処理部４３は、１次回折光の干渉光強度変化の振幅、及び該１次回折光と該１次回折光と同じ波長の測定光との位相差から測定光のインターフェログラムを補正する。このとき、演算処理部４３は、減光フィルタ１６６ａの透過率から、透過率が１００％のときのインターフェログラムを求め、このインターフェログラムを補正する。従って、本実施例では、演算処理部４３が補償手段として機能する。そして、補正後のインターフェログラムをフーリエ変換して分光特性を求める。【００４９】
例えば図１０の（ａ）に示すような測定光のインターフェログラムと、図１０の（ｂ）に示すような回折光の干渉光強度変化が得られたとすると、測定光のインターフェログラムの干渉光強度（Im）を１次回折光の干渉光強度変化の振幅（Io）に対する比（Im/Io）を用いることにより該インターフェログラムを補正する。ここではImとIoにおいて光源の時間変動の影響が同じなので、Im/Ioを用いて補正することにより光源の時間変動の影響を抑制することができ測定精度が向上する。また、１次回折光と測定光の位相ずれ量だけ測定光のインターフェログラムの位相をシフトすることにより、該インターフェログラムを補正する。具体的には、例えば、まず１次回折光の干渉光強度変化について取得（サンプリング）したデータ（図１１（ａ））を余弦曲線（波）で近似する（図１１（ｂ））。このときのデータの位相値を位相実験値θeとする。次に位相θ=0で余弦曲線が頂点（最大値）となるように余弦曲線をシフト（補正）する（図１１（ｃ））。このときのデータの位相値を位相補正値θcとする。この補正により位相シフタ動作時の誤差など光路上に発生した外乱の影響を抑制することができ測定精度が向上する。このように、光源１６１の光強度の揺らぎ、及び光路上に発生した外乱の影響を抑えることができ、測定光のインターフェログラムを精度良く求めることができる。【００５０】
さらに、本実施例においては、窓部２１４の面内の一部に２次元的に分布している回折格子に対して１次回折光の干渉光をイメージングして取得するので、空間的な積算・平均化効果により測定精度が向上する。【００５１】
なお、本発明は上記した実施例に限定されるものではなく、例えば次のような変形が可能である。
測定時の初期状態における測定光及び参照光の干渉光強度から減光フィルタ１６６ａの適正透過率を求めるようにしたが、作業者が減光フィルタ１６６ａの透過率を設定するようにしても良い。【００５２】
上記実施例では、指先の血液中の血糖を測定する装置を例に挙げて説明したが、本発明は、セルに収容された試料中の成分濃度を測定する装置に適用することもできる。【００５３】
上記実施例では、横方向に段階的に透過率が変化する減光フィルタを用いたが、図１２に示すような、横方向及び縦方向に透過率が異なる複数の領域が配置された減光フィルタを用いても良い。また、透過率が円周方向に変化する円板状の光学フィルタを用いても良く、この場合は、光学フィルタを円周方向に移動させるステッピングモータで減光装置を構成することができる。さらに、透過率が連続的に変化する減光フィルタを用いても良い。【００５４】
上記実施例では指を測定対象としたが、人体における耳たぶ等の他の部位や内臓など、他の生体についても対象とすることができる。また、生体の血糖値測定などの医療分野だけでなく、果実の糖度測定など食品分野、物質材料の成分測定など工業分野にも適用できる。【００５５】
減光フィルタは、位相シフタ（可動反射部及び固定反射部）と結像レンズの間に配置しても良い。
【符号の説明】
【００５６】
１０、１１０、２１０…血糖値センサ
１１２…ケーシング
１１４、２１４…窓部
１６…分光測定部
１６１…光源
１６２…対物レンズ
１６３…位相シフタ
１６４…結像レンズ
１６５…検出部
１６５ａ…ＣＣＤカメラ
１６５ｂ…Ａ／Ｄ変換器
１６５ｃ…受光面
１６６…減光装置
１６６ａ…減光フィルタ
２２０、２２１…回折格子
３１…固定ミラー部
３２…可動ミラー部
３３…駆動機構
４０…制御部
４１…記憶部
４２…処理部
４３…演算処理部（補償手段）
５２…反射膜
Ｆ…指先（被測定物）
【図１】
2014054488.tif 000003
【図２】
2014054488.tif 000004
【図３】
2014054488.tif 000005
【図４】
2014054488.tif 000006
【図５】
2014054488.tif 000007
【図６】
2014054488.tif 000008
【図７】
2014054488.tif 000009
【図８】
2014054488.tif 000010
【図９】
2014054488.tif 000011
【図１０】
2014054488.tif 000012
【図１１】
2014054488.tif 000013
【図１２】
2014054488.tif 000014
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
ａ）固定反射部と、
ｂ）該固定反射部の反射面と平行な反射面を有し、前記固定反射部の反射面に対して垂直方向に移動可能な可動反射部と、
ｃ）被測定物の内部の複数の測定点から発せられた測定光を前記固定反射部の反射面と前記可動反射部の反射面に入射させる入射光学系と、
ｄ）前記固定反射部の反射面で反射された固定反射測定光と前記可動反射部の反射面で反射された可動反射測定光を同一点に導いて両反射測定光の干渉光を形成する結像光学系と、
ｅ）前記干渉光の強度を検出するための複数の画素を有する光検出部と、
ｆ）前記結像光学系と前記光検出部の間の光路に配置された透過率が異なる複数の領域を有するフィルタであって、前記複数の測定点から発せられた該複数の測定光は前記複数の領域のうちの２つ以上の領域に分かれて透過した後、前記複数の画素のいずれかに入射し、各画素に入射する干渉光を形成する固定反射測定光と可動反射測定光が同じ領域を透過するように構成された減光フィルタと、
ｇ）前記可動反射部を移動させたときの前記光検出部の各画素の検出信号から前記測定光のインターフェログラムを前記２つ以上の領域にそれぞれ対応する透過率で求め、このインターフェログラムに基づき測定光のスペクトルを求める演算処理部と
を備えることを特徴とする分光特性測定装置。
【請求項２】
さらに、
前記光検出部の各画素に入射する干渉光を形成する固定反射測定光と可動反射測定光が透過した前記減光フィルタの領域の透過率に基づき、該画素の検出信号から求められるインターフェログラムの強度を補償する補償手段を備えることを特徴とする請求項１に記載の分光特性測定装置。
【請求項３】
複数の測定点から発せられた測定光の固定反射測定光と可動反射測定光が同じ領域を透過することを特徴とする請求項１または２に記載の分光特性測定装置。
【手続補正２】
【補正対象書類名】明細書
【補正対象項目名】０００３
【補正方法】変更
【補正の内容】
【０００３】
光を形成する結像光学系と、
ｅ）前記干渉光の強度を検出するための複数の画素を有する光検出部と、
ｆ）前記結像光学系と前記光検出部の間の光路に配置された透過率が異なる複数の領域を有するフィルタであって、前記複数の測定点から発せられた該複数の測定光は前記複数の領域のうちの２つ以上の領域に分かれて透過した後、前記複数の画素のいずれかに入射し、各画素に入射する干渉光を形成する固定反射測定光と可動反射測定光が同じ領域を透過するように構成された減光フィルタと、
ｇ）前記可動反射部を移動させたときの前記光検出部の各画素の検出信号から前記測定光のインターフェログラムを前記２つ以上の領域にそれぞれ対応する透過率で求め、このインターフェログラムに基づき測定光のスペクトルを求める演算処理部と
を備えることを特徴とする。
［０００９］
上記構成においては、干渉光を形成する固定反射測定光と可動反射測定光に、フィルタ内の光透過率が同一である領域を通過させて干渉光を検出する。そして、干渉光の検出信号からインターフェログラムを求め、測定光のスペクトルを求める。従って、一度の測定によって、光透過率が異なる複数の領域のそれぞれに対応した強度の干渉光を検出し、インターフェログラムを取得して、それらの中の最適なインターフェログラムから測定光のスペクトルを求めることができる。
発明の効果
［００１０］
本発明によれば、Ａ／Ｄ変換器の入力レンジを超過するオーバーフローを防止しつつ、分光特性測定装置のダイナミックレンジを実現することができる。
図面の簡単な説明
［００１０］
［図１］本発明の第１実施例に係る血糖値センサの全体構成を示す概略図。
［図２］干渉光強度変化とインターフェログラム、分光特性の関係を説明する図。
［図３］減光フィルタを示す図。
［図４］第１実施例に係る血糖値センサの解析結果と従来の血糖値センサの解析結果の比較図。
【国際調査報告】
2014054488.tif 000015
2014054488.tif 000016
2014054488.tif 000017
2014054488.tif 000018